(57)【要約】【課題】十分な利得を維持しながら容易に製造することができるアンテナ装置を提供すること。【解決手段】マイクロストリップアンテナ素子（ＭＳＡ素子）１０２、１０３、１０４、１０５は、誘電体基板１０１の一つの主表面に配設されている。柱状反射部材１０７および平面反射部材１０８の組み合わせは、反射部材を構成する。前記反射部材は、ＭＳＡ素子１０２〜１０５の最大放射方向を各々変化させる反射面１０７ａ、１０７ｂ、１０７ｃ、１０７ｄを有する。反射面１０７ａ〜１０７ｄの各々は、前記主表面に対して垂直に配設されている。平面反射部材１０８は、反射面１０７ａ〜１０７ｄから前記主表面と平行な方向に突出している突出反射面１０８ｂを有する突出反射部材１０８ａを有する。突出反射面１０８ｂは、前記最大放射方向をさらに変化させる。【選択図】      図１
2004208040.tif 000002
【特許請求の範囲】
【請求項１】
誘電体基板と、
前記誘電体基板の一つの主表面に配設される複数のマイクロストリップアンテナ素子と、
前記複数のマイクロストリップアンテナ素子の最大放射方向を各々変化させる複数の反射面を有し、かつ、前記複数の反射面の各々が前記誘電体基板の前記主表面に対して垂直になるように配設されている反射部材と、
を具備することを特徴とするアンテナ装置。
【請求項２】
前記反射部材は、
前記複数の反射面の各々から前記誘電体基板の前記主表面と平行な方向に突出している突出反射面を有する突出反射部材をさらに具備し、
前記突出反射部材の前記突出反射面は、前記複数の反射面が変化させる前記複数のマイクロストリップアンテナ素子の前記最大放射方向をさらに変化させることを特徴とする請求項１記載のアンテナ装置。
【請求項３】
前記反射部材の上面に前記誘電体基板の前記主表面と平行に配設されている第２の誘電体基板と、
前記第２の誘電体基板の一つの主表面に前記誘電体基板の前記主表面と平行に配設されている他のマイクロストリップアンテナ素子と、
をさらに具備することを特徴とする請求項１記載のアンテナ装置。
【請求項４】
前記反射部材は、
前記複数の反射面の各々から前記誘電体基板の前記主表面と平行な方向に突出している突出反射面を有する突出反射部材をさらに具備し、
前記突出反射部材の前記突出反射面は、前記複数の反射面が変化させる前記複数のマイクロストリップアンテナ素子の前記最大放射方向をさらに変化させることを特徴とする請求項３記載のアンテナ装置。
【発明の詳細な説明】
【０００１】
【発明の属する技術分野】
本発明は、アンテナ装置に関し、特に、無線ＬＡＮ（Local Area Network）システムの固定局装置に用いられるアンテナ装置に関する。
【０００２】
【従来の技術】
無線ＬＡＮシステムなどの広帯域無線通信システムにおいて、特に屋内でのマルチパスフェージングおよびシャドーイングによる伝送品質の劣化が問題になっている。この問題を解決するためのアンテナ装置の一例として、セクタアンテナ装置が提案されている。セクタアンテナ装置は、互いに最大放射方向が異なる指向性を有する複数のアンテナ素子を有する。また、セクタアンテナ装置は、伝搬環境に応じて電磁波の送信に使用すべきアンテナ素子を選択して、選択されたアンテナ素子に対して給電する構成を有するものである。
【０００３】
従来のセクタアンテナ装置は、基板と、複数のマイクロストリップアンテナ素子（以下、「ＭＳＡ素子」と言う）と、反射部材とを具備している（たとえば特許文献１参照）。前記複数のＭＳＡ素子は、前記基板の表面に配置されている。前記反射部材は、前記基板の表面から各ＭＳＡ素子の上方へ傾斜する複数の反射面を有している。前記反射部材は、前記基板の表面に対する垂直面における各ＭＳＡ素子の最大放射方向が前記基板の表面に平行な方向に近づくように変化させるためのものである。
【０００４】
【特許文献１】
特開平１１−２２５０１３号公報
【０００５】
【発明が解決しようとする課題】
しかしながら、上記の従来のセクタアンテナ装置は、反射面が基板の表面に対して傾斜するように反射部材を配設する必要があるため、装置の構造が複雑であるから、装置の製造が困難であるという問題があった。
【０００６】
本発明は、かかる点に鑑みてなされたものであり、十分な利得を維持しながら容易に製造することができるアンテナ装置を提供することを目的とする。
【０００７】
【課題を解決するための手段】
本発明のアンテナ装置は、誘電体基板と、前記誘電体基板の一つの主表面に配設される複数のマイクロストリップアンテナ素子と、前記複数のマイクロストリップアンテナ素子の最大放射方向を各々変化させる複数の反射面を有し、かつ、前記複数の反射面の各々が前記誘電体基板の前記主表面に対して垂直になるように配設されている反射部材と、を具備する構成を採る。
【０００８】
この構成によれば、誘電体基板の一つの主表面に対して各々垂直な複数の反射面を有する反射部材が配設されているため、複数のマイクロストリップアンテナ素子の最大放射方向を当該主表面に対して垂直な方向以外の方向に各々変化させることができると共にアンテナ装置の構造を簡単にすることができるから、十分な利得を維持しながらアンテナ装置を容易に製造することができる。
【０００９】
本発明のアンテナ装置は、上記構成において、前記反射部材が、前記複数の反射面の各々から前記誘電体基板の前記主表面と平行な方向に突出している突出反射面を有する突出反射部材をさらに具備し、前記突出反射部材の前記突出反射面が、前記複数の反射面が変化させる前記複数のマイクロストリップアンテナ素子の前記最大放射方向をさらに変化させる構成を採る。
【００１０】
この構成によれば、上記効果に加えて、複数の反射面が変化させる複数のマイクロストリップアンテナ素子の最大放射方向を当該主表面に対して垂直な方向以外の方向にさらに変化させることができるから、当該主表面に対して水平な方向における利得を向上させることができる。
【００１１】
本発明のアンテナ装置は、上記構成において、前記反射部材の上面に前記誘電体基板の前記主表面と平行に配設されている第２の誘電体基板と、前記第２の誘電体基板の一つの主表面に前記誘電体基板の前記主表面と平行に配設されている他のマイクロストリップアンテナ素子と、をさらに具備する構成を採る。
【００１２】
この構成によれば、上記効果に加えて、反射部材の上方に他のマイクロストリップアンテナ素子を配設するため、当該主表面に対して垂直な方向における利得を向上させることができる。
【００１３】
本発明のアンテナ装置は、上記構成において、前記反射部材が、前記複数の反射面の各々から前記誘電体基板の前記主表面と平行な方向に突出している突出反射面を有する突出反射部材をさらに具備し、前記突出反射部材の前記突出反射面が、前記複数の反射面が変化させる前記複数のマイクロストリップアンテナ素子の前記最大放射方向をさらに変化させる構成を採る。
【００１４】
この構成によれば、上記効果に加えて、当該主表面からの全方向における利得を向上させることができる。
【００１５】
【発明の実施の形態】
本発明の骨子は、誘電体基板の一つの主表面に配設された複数のマイクロストリップアンテナ素子と、前記複数のマイクロストリップアンテナ素子の最大放射方向を各々変化させる複数の反射面を有する反射部材と、を具備し、前記複数の反射面の各々が、前記誘電体基板の前記主表面に対して垂直になるように配設されていることである。
【００１６】
以下、本発明の実施の形態について、図面を参照して詳細に説明する。
【００１７】
図１は、本発明の一実施の形態に係るアンテナ装置を示す斜視図である。また、図２は、本発明の一実施の形態に係るアンテナ装置を示す略正面図である。また、図３は、本発明の一実施の形態に係るアンテナ装置を示す略平面図である。
【００１８】
アンテナ装置１００は、誘電体基板１０１、マイクロストリップアンテナ素子（以下、「ＭＳＡ素子」と言う）１０２、１０３、１０４、１０５、グランドプレーン１０６、柱状反射部材１０７、平面反射部材１０８、誘電体基板１０９およびＭＳＡ素子１１０を具備している。
【００１９】
複数のＭＳＡ素子１０２、１０３、１０４、１０５は、誘電体基板１０１の一つの主表面に配設されている。柱状反射部材１０７は、ＭＳＡ素子１０２、１０３、１０４、１０５の最大放射方向を各々変化させる複数の反射面１０７ａ、１０７ｂ、１０７ｃ、１０７ｄを有する。また、柱状反射部材１０７は、前記複数の反射面１０７ａ、１０７ｂ、１０７ｃ、１０７ｄの各々が誘電体基板１０１の前記主表面に対して垂直になるように誘電体基板１０１に配設されている。
【００２０】
平面反射部材１０８は、柱状反射部材１０７の上面に配設されている。平面反射部材１０８は、二つの主表面が誘電体基板１０１の前記主表面と平行になるように配設されている。柱状反射部材１０７および平面反射部材１０８の組み合わせは、複数のマイクロストリップアンテナ素子１０２、１０３、１０４、１０５の最大放射方向を各々変化させる複数の反射面を有し、かつ、前記複数の反射面の各々が誘電体基板１０１の一つの主表面に対して垂直になるように配設されている反射部材を構成している。
【００２１】
平面反射部材１０８は、反射面１０７ａ、１０７ｂ、１０７ｃ、１０７ｄの各々から誘電体基板１０１の前記主表面と平行な方向に突出している突出反射部材１０８ａを有する。突出反射部材１０８ａは、反射面１０７ａ、１０７ｂ、１０７ｃ、１０７ｄの各々から誘電体基板１０１の前記主表面と平行な方向に突出している突出反射面１０８ｂを有する。突出反射面１０８ｂは、反射面１０７ａ、１０７ｂ、１０７ｃ、１０７ｄが変化させるＭＳＡ素子１０２、１０３、１０４、１０５の前記最大放射方向をさらに変化させる。
【００２２】
グランドプレーン１０６は、誘電体基板１０１の他の主表面を覆うように配設されている。誘電体基板１０９は、平面反射部材１０８の上面に配設されている。誘電体基板１０９は、二つの主表面が誘電体基板１０１の前記主表面と平行になるように配設されている。ＭＳＡ素子１１０は、誘電体基板１０９の一つの主表面に配設されている。ＭＳＡ素子１１０は、誘電体基板１０１の前記主表面と平行に配設されている。
【００２３】
誘電体基板１０１は、所定の比誘電率εｒを有する誘電体であるテフロン（登録商標）から構成される。誘電体基板１０１は、前記主表面が一辺の長さｗｄ１の正方形の外形を有し、かつ、厚さｔを有する。なお、誘電体基板１０１に用いられる誘電体は、テフロン（登録商標）に限定されない。たとえば、誘電体基板１０１は、ガラスエポキシ樹脂から構成されるものであっても良い。
【００２４】
ここで、便宜上、誘電体基板１０１の前記主表面に平行し、前記主表面において互いに対向する一対の辺に平行し、かつ、図１に示すアンテナ装置１００の奥側から手前側への方向をＸ軸上の正方向と定義する。また、誘電体基板１０１の前記主表面に平行し、前記主表面において互いに対向する他の一対の辺に平行し、かつ、図１に示すアンテナ装置１００の左側から右側への方向をＹ軸上の正方向と定義する。また、誘電体基板１０１の前記主表面に対して垂直で、かつ、図１に示すアンテナ装置１００の下側から上側への方向をＺ軸上の正方向と定義する。誘電体基板１０１の前記主表面は、誘電体基板１０１の二つの主表面のうちＺ軸上の正方向側に位置する主表面である。
【００２５】
複数のＭＳＡ素子１０２、１０３、１０４、１０５の各々は、所定のパターンを有する金属箔（たとえば銅箔）から構成され、一辺の長さｗｍ１の正方形の形状を有する。ＭＳＡ素子１０２、１０３、１０４、１０５は、図示されないスイッチ部によって選択された時に給電され、給電によって発生する電磁波を放射する。
【００２６】
ＭＳＡ素子１０２は、ＭＳＡ素子１０２の一つの辺１０２ａが誘電体基板１０１のＸ軸上の正方向側に位置する辺１０１ａに合わせられるように配設されている。ＭＳＡ素子１０２は、辺１０２ａの中心点が辺１０１ａの中心点とほぼ一致するように配設されている。また、ＭＳＡ素子１０３は、ＭＳＡ素子１０３の一つの辺１０３ａが誘電体基板１０１のＹ軸上の負方向側に位置する辺１０１ｂに合わせられるように配設されている。ＭＳＡ素子１０３は、辺１０３ａの中心点が辺１０１ｂの中心点とほぼ一致するように配設されている。
【００２７】
また、ＭＳＡ素子１０４は、ＭＳＡ素子１０４の一つの辺１０４ａが誘電体基板１０１のＸ軸上の負方向に位置する辺１０１ｃに合わせられるように配設されている。ＭＳＡ素子１０４は、辺１０４ａの中心点が辺１０１ｃの中心点とほぼ一致するように配設されている。また、ＭＳＡ素子１０５は、ＭＳＡ素子１０５の一つの辺１０５ａが誘電体基板１０１のＹ軸上の正方向に位置する辺１０１ｄに合わせられるように配設されている。ＭＳＡ素子１０５は、辺１０５ａの中心点が辺１０１ｄの中心点とほぼ一致するように配置されている。
【００２８】
グランドプレーン１０６は、所定のパターンを有する金属箔（たとえば銅箔）から構成されている。グランドプレーン１０６は、アンテナ装置１００からの電磁波のＺ軸上の負方向への放射を抑制する。
【００２９】
柱状反射部材１０７は、幅ｗｒおよび高さｈｒの４つの反射面１０７ａ、１０７ｂ、１０７ｃ、１０７ｄを有する。ＭＳＡ素子１０２に対応する反射面１０７ａは、ＭＳＡ素子１０２において辺１０２ａに対向する辺から間隔ｓだけ離れている。ＭＳＡ素子１０３に対応する反射面１０７ｂは、ＭＳＡ素子１０３において辺１０３ａに対向する辺から間隔ｓだけ離れている。ＭＳＡ素子１０４に対応する反射面１０７ｃは、ＭＳＡ素子１０４において辺１０４ａに対向する辺から間隔ｓだけ離れている。ＭＳＡ素子１０５に対応する反射面１０７ｄは、ＭＳＡ素子１０５において辺１０５ａに対向する辺から間隔ｓだけ離れている。
【００３０】
反射面１０７ａ、１０７ｂ、１０７ｃ、１０７ｄの各々は、ＭＳＡ素子１０２、１０３、１０４、１０５の各々の最大放射方向を変化させる。より具体的には、反射面１０７ａは、ＭＳＡ素子１０２の最大放射方向をＺ軸上の正方向からＸ軸上の正方向へ近づくように変化させる。反射面１０７ｂは、ＭＳＡ素子１０３の最大放射方向をＺ軸上の正方向からＹ軸上の負方向へ近づくように変化させる。反射面１０７ｃは、ＭＳＡ素子１０４の最大放射方向をＺ軸上の正方向からＸ軸上の負方向へ近づくように変化させる。反射面１０７ｄは、ＭＳＡ素子１０５の最大放射方向をＺ軸上の正方向からＹ軸上の正方向へ近づくように変化させる。
【００３１】
ここで、柱状反射部材１０７の形成および配設について説明する。柱状反射部材１０７は、所定の高さおよび幅を有する矩形の４枚の導体板から成る。柱状反射部材１０７は、前記４枚の導体板を互いに接着することにより、直方体の外形を有するように形成されている。前記４枚の導体板は、電気的に接続されている。このようにして形成された柱状反射部材１０７は、前記４枚の導体板の各外面が誘電体基板１０１の前記主表面に対して垂直になるように配設されている。また、柱状反射部材１０７は、各外面およびＭＳＡ素子１０２、１０３、１０４、１０５の各々の間の距離が間隔ｓになるように配設されている。すなわち、各外面は、反射面１０７ａ、１０７ｂ、１０７ｃ、１０７ｄの各々を構成している。また、各導体板のＺ軸上の負方向側の端部は、誘電体基板１０１を貫通して、グランドプレーン１０６に電気的に接続されている。
【００３２】
平面反射部材１０８は、柱状反射部材１０７の上面に配設される。ここで、柱状反射部材１０７の上面は、各導体板のＺ軸上の正方向側の端部によって形成される面である。平面反射部材１０８は、前記二つの主表面が誘電体基板１０１の前記主表面と平行になるように配設されている。平面反射部材１０８の前記二つの主表面の各々は、一辺の長さｗａの正方形の外形を有する。また、平面反射部材１０８は、導体板から構成されており、柱状反射部材１０７に電気的に接続されている。
【００３３】
また、平面反射部材１０８は、水平面（Ｘ−Ｙ平面）において、各辺が誘電体基板１０１の各辺と平行になるように配設されている。また、平面反射部材１０８は、水平面（Ｘ−Ｙ平面）において、各辺の中心点が、ＭＳＡ素子１０２、１０３、１０４、１０５の各々の中心点と一致するように配設されている。
【００３４】
平面反射部材１０８の突出反射部材１０８ａにおいて、突出反射面１０８ｂは、突出反射部材１０８ａの二つの主表面のうちＺ軸上の負方向側の面である。突出反射面１０８ｂは、柱状反射部材１０７の反射面１０７ａ、１０７ｂ、１０７ｃ、１０７ｄの各々から誘電体基板１０１の前記主表面に平行な方向に長さｄだけ突出している。
【００３５】
突出反射面１０８ｂは、反射面１０７ａ、１０７ｂ、１０７ｃ、１０７ｄが変化させるＭＳＡ素子１０２、１０３、１０４、１０５の前記最大放射方向をさらに変化させる。より具体的には、突出反射面１０８ｂは、ＭＳＡ素子１０２の最大放射方向をＺ軸上の正方向からＸ軸上の正方向へさらに近づくように変化させる。突出反射面１０８ｂは、ＭＳＡ素子１０３の最大放射方向をＺ軸上の正方向からＹ軸上の負方向へさらに近づくように変化させる。突出反射面１０８ｂは、ＭＳＡ素子１０４の最大放射方向をＺ軸上の正方向からＸ軸上の負方向へさらに近づくように変化させる。突出反射面１０８ｂは、ＭＳＡ素子１０５の最大放射方向をＺ軸上の正方向からＹ軸上の正方向へさらに近づくように変化させる。
【００３６】
誘電体基板１０９は、平面反射部材１０８の上面に配設されている。ここで、平面反射部材１０８の上面は、平面反射部材１０８の前記二つの主表面のうちＺ軸上の正方向側の主表面である。誘電体基板１０９は、前記二つの主表面が誘電体基板１０１の前記主表面と平行になるように配設されている。誘電体基板１０９は、誘電体基板１０１と同一の比誘電率εｒを有する誘電体であるテフロン（登録商標）から構成される。誘電体基板１０９は、前記二つの主表面が一辺の長さｗｄ２の正方形の外形を有する。誘電体基板１０９は、誘電体基板１０１と同一の厚さｔを有する。なお、誘電体基板１０９に用いられる誘電体は、テフロン（登録商標）に限定されない。たとえば、誘電体基板１０９は、ガラスエポキシ樹脂から構成されるものであっても良い。
【００３７】
ＭＳＡ素子１１０は、誘電体基板１０９のＺ軸上の正方向側の主表面に配設されている。ＭＳＡ素子１１０は、所定のパターンを有する金属箔（たとえば銅箔）から構成され、一辺の長さｗｍ２の正方形の形状を有する。ＭＳＡ素子１１０は、前記スイッチ部によって選択された時に給電され、給電によって発生する電磁波を放射する。
【００３８】
次いで、上記構成を有するアンテナ装置１００の動作の一例について説明する。なお、本実施の形態において、各数値を以下のとおりに設定して説明する。また、アンテナ装置１００の動作周波数を５．２ＧＨｚに設定して説明する。また、各ＭＳＡ素子の最大放射方向およびＺ軸上の正方向によって形成される角を放射角θと定義する。
【００３９】
ｗｄ１＝７４[mm]（１．２８波長）
εｒ＝２．２
ｔ＝３[mm]（０．０５波長）
ｗｍ１＝１７．５[mm]
ｓ＝３[mm]
ｗｒ＝３４[mm]
ｈｒ＝４０[mm]
ｗａ＝５７[mm]（０．９９波長）
ｄ＝１１．５[mm]（０．２０波長）
ｗｄ２＝３４[mm]（０．５９波長）
ｗｍ２＝１７[mm]
【００４０】
図４、図５および図６は、アンテナ装置１００の放射パターンの一例を示す図である。
【００４１】
グランドプレーン１０６によって、ＭＳＡ素子１０２、１０３、１０４、１０５、１１０のＺ軸上の負方向への放射が抑制される。これによりＭＳＡ素子１０２、１０３、１０４、１０５、１１０の主照射方向はＺ軸上の正方向となる。そして、ＭＳＡ素子１０２の最大放射方向は、柱状反射部材１０７の反射面１０７ａによって、Ｘ軸上の正方向側の放射角４０°を有する方向に変化する。また、ＭＳＡ素子１０３の最大放射方向は、反射面１０７ｂによって、Ｙ軸上の負方向側の放射角４０°を有する方向に変化する。また、ＭＳＡ素子１０４の最大放射方向は、反射面１０７ｃによって、Ｘ軸上の負方向側の放射角４０°を有する方向に変化する。また、ＭＳＡ素子１０５の最大放射方向は、反射面１０７ｄによって、Ｙ軸上の正方向側の放射角４０°を有する方向に変化する。このようにして、水平面（Ｘ−Ｙ平面）上の全方向において十分な利得を確保することができる。
【００４２】
そして、反射面１０７ａによって変化したＭＳＡ素子１０２の最大放射方向は、平面反射部材１０８の突出反射面１０８ｂによって、Ｘ軸上の正方向側の放射角５８°を有する方向にさらに変化する。図４は、前述のように最大放射方向が変化したＭＳＡ素子１０２の垂直面（Ｘ−Ｚ平面）上の放射パターンを示している。
【００４３】
また、ＭＳＡ素子１０３の最大放射方向は、ＭＳＡ素子１０２と同様に、突出反射面１０８ｂによって、Ｙ軸上の負方向側の放射角５８°を有する方向にさらに変化する。また、ＭＳＡ素子１０４の最大放射方向は、ＭＳＡ素子１０２と同様に、突出反射面１０８ｂによって、Ｘ軸上の負方向側の放射角５８°を有する方向にさらに変化する。また、ＭＳＡ素子１０５の最大放射方向は、ＭＳＡ素子１０２と同様に、突出反射面１０８ｂによって、Ｙ軸上の正方向側の放射角５８°を有する方向にさらに変化する。したがって、ＭＳＡ素子１０３、１０４、１０５の垂直面（Ｘ−Ｚ平面またはＹ−Ｚ平面）上の放射パターンは、図４に示すＭＳＡ素子１０２の放射パターンと同様になる。また、図５は、前述のように最大放射方向が変化したＭＳＡ素子１０２、１０３、１０４、１０５の放射角５８°における水平面（Ｘ−Ｙ平面）上の放射パターンを示している。
【００４４】
図４および図５において、放射角５８°におけるＭＳＡ素子１０２、１０３、１０４、１０５の絶対利得は８．２[dBi]である。また、図５において、放射角５８°における水平面（Ｘ−Ｙ平面）上の全方向において、４[dBi]以上の絶対利得が確保されている。このようにして、水平面（Ｘ−Ｙ平面）上の全方向における利得を向上させることができる。
【００４５】
また、図４から分かるように、ＭＳＡ素子１０２、１０３、１０４、１０５のいずれかが電磁波を放射する時、Ｚ軸上の正方向における絶対利得（約１[dBi]）が低くなっている。そこで、ＭＳＡ素子１１０が、誘電体基板１０９上に配設される。
【００４６】
図６は、ＭＳＡ素子１０２、１０４、１１０が電磁波を放射する時の垂直面（Ｘ−Ｚ平面）上の放射パターンを示している。ＭＳＡ素子１１０の最大放射方向は、Ｚ軸上の正方向であり、ＭＳＡ素子１１０のＺ軸上の正方向における絶対利得は約１０[dBi]である。このようにＭＳＡ素子１１０を配設することにより、Ｚ軸上の正方向において利得を向上させることができる。
【００４７】
図６において、垂直面（Ｘ−Ｚ平面）上のＺ軸上の正方向側の全方向において４[dBi]以上の絶対利得が確保されている。また、ＭＳＡ素子１０３、１０５、１１０が電磁波を放射する時の垂直面（Ｙ−Ｚ平面）上の放射パターンは、図６に示す放射パターンと同様になる。
【００４８】
アンテナ装置１００は、伝搬環境に応じて、ＭＳＡ素子１０２、１０３、１０４、１０５、１１０のいずれかを選択して選択されたＭＳＡ素子から電磁波を放射する。以上のようにして、誘電体基板１０１の前記主表面からＺ軸上の正方向側の全方向における利得を向上させることができる。
【００４９】
なお、放射するＭＳＡ素子を選択して選択されたＭＳＡ素子に対して給電する前記スイッチ部の一例として、ＰＩＮダイオードを用いる高周波スイッチ装置またはＧａＡｓ−ＦＥＴ（GaAs - Field Effect Transistor）を用いる高周波スイッチ装置などが挙げられる。
【００５０】
このように、本発明の一実施の形態によれば、誘電体基板１０１の一つの主表面に対して各々垂直な複数の反射面を有する反射部材が配設されているため、複数のＭＳＡ素子１０２、１０３、１０４、１０５の最大放射方向を当該主表面に対して垂直な方向以外の方向に各々変化させることができると共にアンテナ装置１００の構成を簡単にすることができるから、アンテナ装置１００を容易に製造することができる。
【００５１】
なお、本実施の形態において、４つのＭＳＡ素子が誘電体基板１０１上に配設されている。ただし、配設されるＭＳＡ素子の数は４つに限定されない。４以外の複数のＭＳＡ素子が誘電体基板１０１上に配設されても良い。
【００５２】
また、本実施の形態において、柱状反射部材１０７は、４枚の導体板を用いて、４つの反射面を有するものである。ただし、柱状反射部材１０７の構造は、これに限定されない。柱状反射部材１０７の構造は、誘電体基板１０１上に配設されたＭＳＡ素子の個数および配置に基づいて適切なものに設定される。また、平面反射部材１０８の構造も、上記のものに限定されない。柱状反射部材１０７および平面反射部材１０８の構造は、水平面および垂直面における最小の絶対利得を向上させるような構造（形状および寸法）であれば、上記と同様の作用効果を実現することができる。
【００５３】
【発明の効果】
以上説明したように、本発明によれば、誘電体基板の一つの主表面に配設された複数のマイクロストリップアンテナ素子と、前記複数のマイクロストリップアンテナ素子の最大放射方向を各々変化させる複数の反射面を有する反射部材と、を具備し、前記複数の反射面の各々を前記誘電体基板の前記主表面に対して垂直になるように配設することにより、十分な利得を得ることができるアンテナ装置を容易に製造することができる。
【図面の簡単な説明】
【図１】本発明の一実施の形態に係るアンテナ装置を示す斜視図
【図２】本発明の一実施の形態に係るアンテナ装置を示す略正面図
【図３】本発明の一実施の形態に係るアンテナ装置を示す略平面図
【図４】本発明の一実施の形態に係るアンテナ装置の放射パターンの一例を示す図
【図５】本発明の一実施の形態に係るアンテナ装置の放射パターンの一例を示す図
【図６】本発明の一実施の形態に係るアンテナ装置の放射パターンの一例を示す図
【符号の説明】
１００  アンテナ装置
１０１、１０９  誘電体基板
１０２、１０３、１０４、１０５、１１０  マイクロストリップアンテナ素子
１０６  グランドプレーン
１０７  柱状反射部材
１０７ａ、１０７ｂ、１０７ｃ、１０７ｄ  反射面
１０８  平面反射部材
１０８ａ  突出反射部材
１０８ｂ  突出反射面
【図１】
2004208040.tif 000003
【図２】
2004208040.tif 000004
【図３】
2004208040.tif 000005
【図４】
2004208040.tif 000006
【図５】
2004208040.tif 000007
【図６】
2004208040.tif 000008